(57)【要約】【課題】マネーカードあるいは携帯電話に電子マネーをチャージする場合に、利用者の操作を簡便なものとすることができる電子マネーチャージ機を提供すること。【解決手段】マネーカードＭＣあるいは携帯電話ＰＨに電子マネーをチャージする電子マネーチャージ機において、予め定めたチャージ金額を選択するチャージ金額選択手段と、チャージする金額を直接入力するチャージ金額直接入力手段と、チャージ金額選択手段からチャージ金額が選択された場合に、チャージ金額直接入力手段を無効化する一方、選択された金額をチャージする金額に確定するようにした。【選択図】        図２
2008176498.tif 000002
【特許請求の範囲】
【請求項１】
記録媒体に電子マネーをチャージする電子マネーチャージ機において、
予め定めたチャージ金額を選択するチャージ金額選択手段と、
チャージする金額を直接入力するチャージ金額直接入力手段と、
チャージ金額選択手段からチャージ金額が選択された場合に、チャージ金額直接入力手段を無効化する一方、選択された金額をチャージする金額に確定するチャージ金額確定制御手段と
を備えたことを特徴とする電子マネーチャージ機。
【請求項２】
金融機関から与えられた信用による決済、金融機関の口座の預貯金による決済、現金による決済の少なくとも一つの決済により、記録媒体に電子マネーをチャージすることを特徴とする請求項１に記載の電子マネーチャージ機。
【発明の詳細な説明】
【技術分野】
【０００１】
本発明は、商品の購入、サービスの提供に関する決済を可能とする電子マネーを記録媒体にチャージする電子マネーチャージ機に関するものである。
【背景技術】
【０００２】
近年、非接触ＩＣカードあるいは携帯電話等の記録媒体に電子マネー（貨幣価値情報）を記録しておき、この記録媒体に記録した電子マネーを用いて商品の購入、サービスの提供に関する決済を行うものが普及している。この種の記録媒体においては、記録した電子マネーの残高が少なくなると、商品の購入、サービスの提供に関する決済ができなくなるため、記録媒体に電子マネーをチャージ（積み増し）する必要がある。この電子マネーのチャージには、投入された現金（紙幣あるいは硬貨）に相当する電子マネーを記録媒体にチャージする電子マネーチャージ機が広く一般に用いられている（例えば、特許文献１参照）。この電子マネーチャージ機において、現金を用いて電子マネーをチャージする場合には、投入された現金によってチャージする金額が確定するようになっている。
【０００３】
また、最近では、金融機関（例えば、クレジットカード会社）から与えられた信用（与信）を用いて、記録媒体に電子マネーをチャージする電子マネーチャージ機、金融機関（例えば、銀行）の口座の預貯金を用いて電子マネーをチャージする電子マネーチャージ機が提案されている（例えば、特許文献２参照）。この電子マネーチャージ機において、金融機関から与えられた信用、金融機関の口座の預貯金を用いて電子マネーをチャージする場合には、クレジットカード、あるいはデビットカードを提示するとともに、暗証番号の入力、チャージする金額の入力をテンキー等により直接入力する必要があった。
【０００４】
【特許文献１】特開２００３−０３６４６６号公報
【特許文献２】特開２００６−１３３８５７号公報
【発明の開示】
【発明が解決しようとする課題】
【０００５】
しかしながら、金融機関から与えられた信用を用いて記録媒体に電子マネーをチャージする電子マネーチャージ機、金融機関の口座の預貯金を用いて電子マネーをチャージする電子マネーチャージ機では、暗証番号の入力のほか、チャージする金額をテンキー等により直接入力する必要があるために、電子マネーのチャージ操作が煩雑なものとなる。
【０００６】
本発明は、上記実情に鑑みて、記録媒体に電子マネーをチャージする場合に、操作を簡便なものとすることができる電子マネーチャージ機を提供することを目的とする。
【課題を解決するための手段】
【０００７】
上記の目的を達成するために、本発明の請求項１に係る電子マネーチャージ機は、記録媒体に電子マネーをチャージする電子マネーチャージ機において、予め定めたチャージ金額を選択するチャージ金額選択手段と、チャージする金額を直接入力するチャージ金額直接入力手段と、チャージ金額が選択された場合に、チャージ金額直接入力手段を無効化する一方、選択された金額をチャージする金額に確定するチャージ金額確定制御手段とを備えたことを特徴とする。
【０００８】
また、本発明の請求項２に係る電子マネーチャージ機は、上記請求項１において、金融機関から与えられた信用による決済、金融機関の口座の預貯金による決済、現金による決済の少なくとも一つの決済により、記録媒体に電子マネーをチャージすることを特徴とする。
【発明の効果】
【０００９】
本発明に係る電子マネーチャージ機は、予め定めたチャージ金額を選択するチャージ金額選択手段と、チャージする金額を直接入力するチャージ金額直接入力手段と、チャージ金額選択手段からチャージ金額が選択された場合に、チャージ金額直接入力手段を無効化する一方、選択されたチャージ金額をチャージする金額に確定するチャージ金額確定制御手段とを備えたので、チャージ金額が選択された場合には、チャージ金額直接入力手段からチャージする金額を直接入力する必要がなく、利用者の操作を簡便なものとすることができる。また、クレジットカードの限度額、銀行口座（金融機関）の預貯金額、持ち合わせの現金に基づき、チャージ金額の決定も容易となる。
【発明を実施するための最良の形態】
【００１０】
以下に添付図面を参照して、本発明に係る電子マネーチャージ機の好適な実施の形態を詳細に説明する。なお、この実施の形態によりこの発明が限定されるものではない。
【００１１】
図１は本発明の実施の形態である電子マネーチャージ機を適用した電子マネーチャージシステムの構成を示すブロック図、図２は本発明の実施の形態である電子マネーチャージ機の概念図、図３は図２に示した電子マネーチャージ機の構成を示すブロック図である。
【００１２】
本実施の形態で説明する電子マネーチャージ機１は、現金決済による電子マネーのチャージ（以下、「現金チャージ」という）、クレジット会社（金融機関）から与えられた信用（与信）による電子マネーのチャージ（以下、「クレジットチャージ」という）、銀行口座（金融機関）の預貯金による電子マネーのチャージ（以下「デビットチャージ」という）を可能とするものである。
【００１３】
現金チャージは、投入された現金（紙幣あるいは硬貨）に相当する電子マネーを非接触ＩＣカードで構成されたマネーカードＭＣあるいは非接触ＩＣチップが搭載された携帯電話ＰＨ等の記録媒体にチャージするもので、電子マネーの代金は即時決済される。
【００１４】
クレジットチャージは、予めクレジット会社により与えられた与信限度（信用限度）の限度内で電子マネーを記録媒体にチャージするもので、電子マネーの代金はクレジット会社によって立て替えられ、立て替えられた電子マネーの代金は後日決済される。なお、クレジットチャージにおいて、利用者の認証には、クレジットカードＣＣが用いられる。
【００１５】
デビットチャージは、銀行口座の預貯金残高の範囲内で電子マネーを記録媒体にチャージするもので、電子マネーの代金は即時決済される。なお、デビットチャージにおいて、利用者の認証には、デビットカードＤＣ（キャッシュカード）が用いられる。
【００１６】
図１に示すように、本発明の実施の形態である電子マネーチャージ機１は、専用線、ネットワーク（ＬＡＮ）あるいは広域ネットワーク（ＷＡＮ）を経由して、クレジット会社のクレジットサーバ７、銀行のデビットサーバ８、電子マネー運営会社の電子マネーサーバ９に接続されている。そして、現金チャージの場合には、電子マネーチャージ機１と電子マネーサーバ９との間で情報が送受信され、クレジットチャージの場合には、電子マネーチャージ機１とクレジットサーバ７との間、クレジットサーバ７と電子マネーサーバ９との間、電子マネーサーバ９と電子マネーチャージ機１との間で情報が送受信される。また、デビットチャージの場合には、電子マネーチャージ機１とデビットサーバ８との間、デビットサーバ８と電子マネーサーバ９との間、電子マネーサーバ９と電子マネーチャージ機１との間で情報が送受信される。
【００１７】
本発明の実施の形態である電子マネーチャージ機は、図２に示すように、表示部１１及び入力部１２から成る案内操作部１０、紙幣挿入口２０、マネーカード・携帯電話セット部３０、クレジット・デビットセット部４０、領収書発行口５０が設けてある。
【００１８】
表示部１１は、利用者に操作を案内するとともに、必要な情報を表示する部分であり、例えば、液晶パネルにより構成してある。入力部１２は、電子マネーチャージ機１が必要とする情報を入力するためのもので、例えば、表示部１１の操作画面に表示された領域（図２におけるチャージ金額表示領域、テンキー表示領域、取消表示領域）にタッチすることにより情報の入力が可能なタッチパネルにより構成してある。
【００１９】
紙幣挿入口２０は、利用者が紙幣を挿入するための開口である。この紙幣挿入口２０を通じて挿入された紙幣は、ビルバリデータ２１（図３参照）において、その金種が識別され、その後、ビルバリデータ２１の内部に収容されることになる。また、この紙幣挿入口２０は、ビルバリデータ２１において識別できなかった紙幣を返却するための紙幣返却口としても機能する。
【００２０】
マネーカード・携帯電話セット部３０は、利用者がセットしたマネーカードＭＣあるいは携帯電話ＰＨとの間で識別情報及び残高情報を送受信するためのものであり、このマネーカード・携帯電話セット部３０にセットされたマネーカードＭＣあるいは携帯電話ＰＨの識別情報と残高情報とは、リーダライタ３１（図３参照）において読み取られ、電子マネーをチャージする場合には、識別情報を照合した後に新たな残高情報が書き込まれることになる。
【００２１】
クレジット・デビットセット部４０は、利用者がセットしたクレジットカードＣＣあるいはデビットカードＤＣとの間で識別情報を送受信するためのものであり、このクレジット・デビットセット部４０にセットされたクレジットカードＣＣあるいはデビットカードＤＣの識別情報は、リーダライタ４１（図３参照）において読み取られることになる。
【００２２】
領収書発行口５０は、領収書を発行するための開口である。プリンタ５１（図３参照）において、発行された領収書はこの領収書発行口５０から外部に放出される。
【００２３】
図３に示すように、上述した表示部１１、入力部１２、ビルバリデータ２１、リーダライタ３１、リーダライタ４１、プリンタ５１は、主制御部６０に接続してある。主制御部６０は、これらを統括して制御するものであり、マネーカードＭＣあるいは携帯電話ＰＨにチャージする電子マネーを制限可能である。
【００２４】
また、主制御部６０には、通信部６１が接続してある。通信部６１は、専用線、ネットワーク（ＬＡＮ）、あるいは広域ネットワーク（ＷＡＮ）を介して、図１に示すように、クレジットサーバ７、デビットサーバ８、電子マネーサーバ９に接続してある。
【００２５】
上述のように構成した電子マネーチャージ機１は、クレジットサーバ７あるいはデビットサーバ８に認証要求を送信可能であって、かつ電子マネーサーバ９からチャージ指令を受信可能である。認証要求は、電子マネーチャージ機の端末ＩＤ番号、クレジットカードあるいはデビットカードのＩＤ番号、暗証番号、マネーカードあるいは携帯電話のＩＤ番号、チャージ金額であり、これらは暗号化されてクレジットサーバ７あるいはデビットサーバ８に送信される。一方、電子マネーチャージ機１が電子マネーサーバ９からチャージ指令を受信した場合には、チャージ指令を復号化し、このチャージ指令に基づいてマネーカードＭＣあるいは携帯電話ＰＨを照合した後に電子マネーをチャージする。
【００２６】
クレジットサーバ７は、電子マネーチャージ機１から送信された認証要求を受信可能であって、認証要求を受信した場合には、認証要求を復号化して認証する。クレジットサーバ７が認証要求を是認した場合には電子マネーサーバ９にチャージ要求を送信する一方、認証要求を否認した場合には電子マネーチャージ機１に決済不能である旨を返信する。認証は、認証要求に含まれるクレジットカードのＩＤ番号、暗証番号、チャージ金額に基づいて行われ、クレジットカードのＩＤ番号と暗証番号とにより利用者が本人であるかが認証（本人認証）され、クレジットカードのＩＤ番号とチャージ金額とによりチャージ金額が与信限度内であるかが認証される。チャージ要求は、電子マネーチャージ機の端末ＩＤ番号、マネーカードあるいは携帯電話のＩＤ番号、チャージ金額であり、これらは暗号化されて電子マネーサーバ９に送信される。
【００２７】
デビットサーバ８は、クレジットサーバ７と同様に、電子マネーチャージ機１から送信された認証要求を受信可能であって、認証要求を受信した場合には、認証要求を復号化して認証する。デビットサーバ８が認証要求を是認した場合には電子マネーサーバ９にチャージ要求を送信する一方、認証要求を否認した場合には電子マネーチャージ機１に決済不能である旨を返信する。認証は、認証要求に含まれるデビットカードのＩＤ番号、暗証番号、チャージ金額に基づいて行われ、デビットカードのＩＤ番号と暗証番号とにより利用者が本人であるかが認証（本人認証）され、デビットカードのＩＤ番号とチャージ金額とによりチャージ金額が口座の預貯金を用いてチャージが可能であるかが認証される。チャージ要求は、電子マネーチャージ機の端末ＩＤ番号、マネーカードあるいは携帯電話のＩＤ番号、チャージ金額であり、これらは暗号化されて電子マネーサーバ９に送信される。
【００２８】
電子マネーサーバ９は、クレジットサーバ７あるいはデビットサーバ８から送信されたチャージ要求を受信可能であって、チャージ要求を受信した場合には、チャージ要求を復号化して認証する。電子マネーサーバ９がチャージ要求を正当であると是認した場合には電子マネーチャージ機１にチャージ指令を送信する一方、チャージ要求が不当であると否認した場合には電子マネーチャージ機１に決済不能である旨を送信する。認証は、チャージ要求に含まれるマネーカードあるいは携帯電話のＩＤ番号に基づいて行われ、当該マネーカードあるいは携帯電話のＩＤが正当なものであるかが認証される。チャージ指令は、電子マネーチャージ機の端末ＩＤ番号、マネーカードあるいは携帯電話のＩＤ番号、チャージ金額であり、マネーカードあるいは携帯電話のＩＤ番号とチャージ金額とは暗号化された後、電子マネーチャージ機１に送信される。
【００２９】
次に、図４に基づいて、本発明の実施の形態である電子マネーチャージ機の作用を説明する。なお、図４は、本発明の実施の形態である電子マネーチャージ機の作用を説明するフローチャートである。
【００３０】
電子マネーチャージ機１の案内操作部１０の操作画面は、待機状態において、図５に示すように、「現金チャージ」「クレジットチャージ」「デビットチャージ」「残高照会」が表示され、これらのうちのいずれかを選択できるようになっている。ここでは、クレジットチャージを例に作用を説明する。
【００３１】
電子マネーチャージ機１が待機状態にある場合に、案内操作部１０の操作画面に表示されている「クレジットチャージ」の表示領域にタッチすることにより、「クレジットチャージ」を選択すると（ステップＳ１：Ｙｅｓ）、電子マネーチャージ機１の案内操作部１０は、図６に示すような操作画面に遷移する。この操作画面では、マネーカードＭＣのセットを要求する表示（例えば、「マネーカードをセットしてください。」との表示）のほか、電子マネーのチャージに際して参照される情報（例えば、残高）、電子マネーのチャージ金額を入力するための表示（図６において「￥１，０００」「￥３，０００」「￥５，０００」「￥１０，０００」、テンキー）が表示される。
【００３２】
ここで、マネーカード・携帯電話セット部３０に、マネーカードＭＣあるいは携帯電話ＰＨがセットされると（ステップＳ２：Ｙｅｓ）、リーダライタ３１がマネーカードＭＣあるいは携帯電話ＰＨから識別情報と残高情報とを読み取り、チャージ残高を表示する。そして、電子マネーチャージ機１の案内操作部１０は、図７に示すような操作画面に遷移する。
【００３３】
この操作画面において、チャージ金額表示領域（図７において「￥１，０００」「￥３，０００」「￥５，０００」「￥１０，０００」と表示してある表示領域）のいずれかをタッチすると（ステップＳ３：Ｙｅｓ）、チャージ金額が確定し、チャージ金額とチャージ後の残高を表示する。そして、テンキー表示領域からのチャージ金額入力を無効化する。
【００３４】
一方、チャージ金額表示領域のいずれにもタッチすることなく（ステップＳ３：Ｎｏ）、テンキー表示領域からチャージ金額を直接入力すると（ステップＳ４：Ｙｅｓ）、そのチャージ金額を表示する。より具体的には、入力した数字の順番に下の桁から上の桁に遷移し、チャージ金額を表示する。そして、チャージ金額が確定する（「決定」と表示してある表示領域をタッチする）と、チャージ金額とチャージ後の残高を表示する。
【００３５】
その後（ステップＳ３：ＹｅｓまたはステップＳ４：Ｙｅｓ）、図８に示すように、案内操作部１０の操作画面には、クレジットカードのセットを要求する表示（例えば、「クレジットカードをセットしてください。」との表示）が表示され、利用者にクレジットカードのセットを要求する。
【００３６】
ここで、クレジットカードＣＣがクレジット・デビットセット部４０にセットされると（ステップＳ５：Ｙｅｓ）、図８に示すように、案内操作部１０の操作画面には、暗証番号の入力を要求する表示（例えば、「暗証番号を入力してください。」との表示）が表示され、利用者に暗証番号の入力を要求する。
【００３７】
ここで、利用者が案内操作部１０の操作画面のテンキー表示領域をタッチすることにより、暗証番号を入力すると（ステップＳ６：Ｙｅｓ）、電子マネーチャージ機１はクレジットサーバ７に認証を要求する（ステップＳ７）。
【００３８】
クレジットサーバ７は、電子マネーチャージ機１から受信した認証要求を復号化して、決済が可能か否かを判断する（ステップＳ８）。クレジットサーバ７が決済可能と判断した場合には（ステップＳ８：Ｙｅｓ）、電子マネーサーバ９にチャージ要求を送信する。一方、クレジットサーバ７が決済不能と判断した場合には（ステップＳ８：Ｎｏ）、電子マネーチャージ機１に決済不能である旨を送信する。
【００３９】
電子マネーサーバ９は、クレジットサーバ７から受信したチャージ要求を復号化して、マネーカードＭＣあるいは携帯電話ＰＨが正当か否かを認証する（例えば、紛失カードに該当するか否か等を判断する）。マネーカードＭＣあるいは携帯電話ＰＨが正当であると判断した場合には、電子マネーチャージ機１にチャージ指令を送信する。
【００４０】
電子マネーチャージ機１は、電子マネーサーバ９から受信したチャージ指令を復号化し、このチャージ要求に基づいてマネーカードＭＣあるいは携帯電話ＰＨに電子マネーをチャージする（ステップＳ９）。なお、暗証番号の入力からチャージの終了までの間は、図１０に示すように、案内操作部１０の操作画面にチャージ中である旨（例えば、「チャージ中」）を表示する。
【００４１】
その後、チャージが終了すると、図１１に示すように、案内操作部１０の操作画面にはチャージが終了した旨（例えば、「終了」）を表示するとともに、チャージ金額とチャージ残高を表示し（ステップＳ１０）、一連の作用を終了する。
【００４２】
一方、クレジットサーバ７から決済不能である旨を電子マネーチャージ機１が受信すると、その旨を案内操作部１０の操作画面に表示し（ステップＳ１１）、一連の作用を終了する。
【００４３】
なお、クレジットチャージを例に説明したが、デビットチャージもクレジットチャージと同様にチャージ可能である。すなわち、デビットチャージの場合には、クレジットサーバ７による認証に代えて、デビットサーバ８による認証となり、デビットカードＤＣ（キャッシュカード）に予め関連付けた銀行口座の預貯金額に基づいて認証される点を除いて、クレジットチャージと異なるところはない。
【００４４】
また、現金チャージの場合には、ステップＳ５〜Ｓ８のステップに代えて、選択されたチャージ金額あるいは直接入力されたチャージ金額に相当する紙幣を紙幣挿入口２０から挿入し、チャージ金額に相当する電子マネーを非接触ＩＣカードで構成されたマネーカードＭＣあるいは非接触ＩＣチップが搭載された携帯電話ＰＨ等の記録媒体にチャージすることになる。なお、その他のステップは上述したクレジットチャージと同様なものとなる。
【００４５】
上述した本発明の実施の形態である電子マネーチャージ機１では、クレジットカードＣＣとマネーカードＭＣあるいは携帯電話ＰＨとが別体であること、デビットカードＤＣとマネーカードＭＣあるいは携帯電話ＰＨとが別体であることを前提に説明したが、クレジットカードＣＣ、マネーカードＭＣの機能を備えたカード、デビットカードＤＣ、マネーカードＭＣの機能を備えたカードのほか、クレジットカードＣＣ、デビットカードＤＣ、マネーカードＭＣの全ての機能を備えたカードあるいは携帯電話ＰＨに適用できる。
【００４６】
また、上述した実施の形態である電子マネーチャージ機１では、表示部１１及び入力部１２から成る案内操作部１０を設け、この案内操作部１０の操作画面にチャージ金額表示領域、テンキー表示領域を表示するとともに、これらの領域をタッチすることにより操作可能なものとしたが、チャージ金額表示領域に代えて利用者が操作可能なチャージ金額選択ボタンを電子マネーチャージ機１の前面に設けても良いし、テンキー表示領域に代えて利用者が操作可能なピンパッドを設けても良い。
【００４７】
上述した実施の形態である電子マネーチャージ機１は、案内操作部１０の操作画面に予め定めたチャージ金額を選択するチャージ金額表示領域と、チャージする金額を直接入力するテンキー表示領域とを表示し、チャージ金額表示領域からチャージ金額が選択された場合に、テンキー表示領域からの直接入力を無効化する一方、選択されたチャージ金額をチャージする金額に確定するので、チャージ金額表示領域が選択された場合には、テンキー表示領域からチャージ金額を直接入力する必要がなく、利用者の操作を簡便なものとすることができる。一方、テンキー表示領域からチャージ金額を直接入力する場合には、任意の金額を入力することができる。
【図面の簡単な説明】
【００４８】
【図１】本発明の実施の形態である電子マネーチャージ機を適用した電子マネーチャージシステムの構成を示すブロック図である。
【図２】本発明の実施の形態である電子マネーチャージ機の概念図である。
【図３】図２に示した電子マネーチャージ機の構成を示すブロック図である。
【図４】本発明の実施の形態である電子マネーチャージ機の作用を示すフローチャートである。
【図５】図２に示した案内操作部に表示される操作画面を示した図であって、待機画面を示したものである。
【図６】図２に示した案内操作部に表示される操作画面を示した図であって、マネーカードのセットを要求する操作画面を示したものである。
【図７】図２に示した案内操作部に表示される操作画面を示した図であって、チャージ金額の入力を要求する操作画面を示したものである。
【図８】図２に示した案内操作部に表示される操作画面を示した図であって、クレジットカードのセットを要求する操作画面を示したものである。
【図９】図２に示した案内操作部に表示される操作画面を示した図であって、暗証番号の入力を要求する操作画面を示したものである。
【図１０】図２に示した案内操作部に表示される操作画面を示した図であって、チャージ中を表示する操作画面を示したものである。
【図１１】図２に示した案内操作部に表示される操作画面を示した図であって、チャージが終了したことを示す操作画面を示したものである。
【符号の説明】
【００４９】
１    電子マネーチャージ機
７    クレジットサーバ
８    デビットサーバ
９    電子マネーサーバ
１０    案内操作部
１１    表示部
１２    入力部
２０    紙幣挿入口
２１    ビルバリデータ
３０    マネーカード・携帯電話セット部
３１    リーダライタ
４０    クレジット・デビットセット部
４１    リーダライタ
５０    領収書発行口
５１    プリンタ
６０    主制御部
６１    通信部
ＣＣ    クレジットカード
ＤＣ    デビットカード
ＭＣ    マネーカード
ＰＨ    携帯電話
【図１】
2008176498.tif 000003
【図２】
2008176498.tif 000004
【図３】
2008176498.tif 000005
【図４】
2008176498.tif 000006
【図５】
2008176498.tif 000007
【図６】
2008176498.tif 000008
【図７】
2008176498.tif 000009
【図８】
2008176498.tif 000010
【図９】
2008176498.tif 000011
【図１０】
2008176498.tif 000012
【図１１】
2008176498.tif 000013